(57)【特許請求の範囲】
【請求項１】
背壁と、
該背壁に固定され、前板と側板と底板とを有する上側トレーと、
前板と背板と該背板側に立設部が設けられた側板と底板とを有する下側トレーと、
一端が前記背壁の下端と連結され、対向する他端が前記下側トレーの背板の下端と連結され、係止孔が形成された第１の連結板と、
一端が前記背壁上における前記上側トレーの底板の接続部分と接するように連結され、対向する他端が前記下側トレーの背板の上端に連結され、連結されない左右両端に係止孔が形成され、前記下側トレーの移動に応じて前記第１の連結板と連動する第２の連結板と、
前記背壁の左右両端かつ前記上側トレーの下方に設けられた一対の側壁と、
該一対の側壁に設けられ、折曲部において折曲可能であり、少なくとも下端及び開放端に係止片が形成された一対の連結支持板とを備えた商品展示具であって、
前記上側トレー及び前記下側トレーが階段状に配置された状態では、前記第１の連結板は底面を構成し、前記第２の連結板は前記上側トレーの底板と当接され、内側に折り曲げられた前記連結支持板の下端に形成された係止片が前記第１の連結板の係止孔に係止され、
前記上側トレー及び前記下側トレーが上下方向に並べて配置された状態では、前記第１の連結板は前記下側トレーの背板の裏面と当接され、前記第２の連結板は前記背壁の表面と当接され、前記連結支持板は前記下側トレーの立設部を前記一対の側壁との間で挟むように内側に折り畳まれ、前記連結支持板の開放端に形成された係止片が前記第２の連結板の係止孔に係止されることを特徴とする商品展示具。
【請求項２】
前記連結支持板には、上端にも係止片が形成され、
前記第２の連結板には、前記上側トレー及び前記下側トレーが階段状に配置された状態において、前記連結支持板の上端に形成された係止片を係止するための係止孔が形成されたことを特徴とする請求項１に記載の商品展示具。
【請求項３】
前記下側トレーの側板には、前記立設部に連続するとともに前記背板側から前記前板側に向かって下る傾斜端が形成され、
前記連結支持板の折曲部の下端には切欠部が形成され、
前記上側トレー及び前記下側トレーが上下方向に並べて配置された状態では、
前記折曲部の切欠部は、前記傾斜端に当接されることを特徴とする請求項１または２に記載の商品展示具。
【発明の詳細な説明】
【技術分野】
【０００１】
本発明は、カウンタディスプレイとしても、ハンガーディスプレイとしても組み立て可能な商品展示具に関する。
【背景技術】
【０００２】
商品を販売等するため商品を展示、陳列するのに商品展示具が用いられる。この商品展示具としては、卓上に置かれるタイプのカウンタディスプレイや、吊り下げて使用されるハンガーディスプレイがある。
【０００３】
カウンタディスプレイは、例えば店内のキャッシュレジスタの近くに置かれたり、ハンガーディスプレイは、例えば店内の壁面や棚などに吊り下げられて用いられる。これらの商品展示具を用いると、店内のスペースを有効に活用できるなどの効果を得ることができる。
カウンタディスプレイとして用いるか、ハンガーディスプレイとして用いるかは、店内のレイアウトなどに応じて選択する必要があるが、カウンタディスプレイとしてもハンガーディスプレイとしても用いることができる商品展示具が提案されている（特許文献１（第１図）参照）。
【０００４】
この特許文献１の商品展示具は、上下に２つのトレーを有しており、下側トレーの後板の上端に２つの嵌合片が設けられている。主に、これらの２つの嵌合片を、カウンタディスプレイとして用いる場合には、上側トレーの前板と底板の境界部に設けられた嵌入穴に挿入し、ハンガーディスプレイとして用いる場合には、バックボードブランク板に設けられた嵌入穴に挿入することにより、組み立てられる。
【先行技術文献】
【特許文献】
【０００５】
【特許文献１】実開平３−９４１５６号公報
【発明の概要】
【発明が解決しようとする課題】
【０００６】
しかしながら、上述した従来の商品展示具では、主に、下側トレーに設けられた２つの嵌合片を、上側トレーまたはバックボード板に設けられた嵌入穴に挿入することによって組み立てられる構造であるために、商品をトレーに載せて使用した場合に、下側トレーが外れてしまったり、倒れてしまったりして不安定な状態でしか使用できないという問題があった。
【０００７】
本発明は、上記実情に鑑みてなされたもので、カウンタディスプレイとしてもハンガーディスプレイとしても安定した状態に組み立てることができる商品展示具を提供することを目的とする。
【課題を解決するための手段】
【０００８】
上記目的を達成するため、本発明の商品展示具は、
背壁と、
該背壁に固定され、前板と側板と底板とを有する上側トレーと、
前板と背板と該背板側に立設部が設けられた側板と底板とを有する下側トレーと、
一端が前記背壁の下端と連結され、対向する他端が前記下側トレーの背板の下端と連結され、係止孔が形成された第１の連結板と、
一端が前記背壁上における前記上側トレーの底板の接続部分と接するように連結され、対向する他端が前記下側トレーの背板の上端に連結され、連結されない左右両端に係止孔が形成され、前記下側トレーの移動に応じて前記第１の連結板と連動する第２の連結板と、
前記背壁の左右両端かつ前記上側トレーの下方に設けられた一対の側壁と、
該一対の側壁に設けられ、折曲部において折曲可能であり、少なくとも下端及び開放端に係止片が形成された一対の連結支持板とを備えた商品展示具であって、
前記上側トレー及び前記下側トレーが階段状に配置された状態では、前記第１の連結板は底面を構成し、前記第２の連結板は前記上側トレーの底板と当接され、内側に折り曲げられた前記連結支持板の下端に形成された係止片が前記第１の連結板の係止孔に係止され、
前記上側トレー及び前記下側トレーが上下方向に並べて配置された状態では、前記第１の連結板は前記下側トレーの背板の裏面と当接され、前記第２の連結板は前記背壁の表面と当接され、前記連結支持板は前記下側トレーの立設部を前記一対の側壁との間で挟むように内側に折り畳まれ、前記連結支持板の開放端に形成された係止片が前記第２の連結板の係止孔に係止されることを特徴とする。
【０００９】
また、前記連結支持板には、上端にも係止片が形成され、
前記第２の連結板には、前記上側トレー及び前記下側トレーが階段状に配置された状態において、前記連結支持板の上端に形成された係止片を係止するための係止孔が形成されるようにしてもよい。
【００１０】
前記下側トレーの側板には、前記立設部に連続するとともに前記背板側から前記前板側に向かって下る傾斜端が形成され、
前記連結支持板の折曲部の下端には切欠部が形成され、
前記上側トレー及び前記下側トレーが上下方向に並べて配置された状態では、
前記折曲部の切欠部は、前記傾斜端に当接されるようにしてもよい。
【発明の効果】
【００１１】
本発明によれば、カウンタディスプレイとしてもハンガーディスプレイとしても安定した状態に組み立てることができる商品展示具を提供することができる。
【図面の簡単な説明】
【００１２】
【図１】本発明の実施形態に係る商品展示具をカウンタディスプレイとして用いた場合の構成を表わす斜視図である。
【図２】本発明の実施形態に係る商品展示具をカウンタディスプレイとして用いた場合の連結支持板が開放された状態の構成を表わす斜視図である。
【図３】本発明の実施形態に係る商品展示具をハンガーディスプレイとして用いた場合の構成を表わす斜視図である。
【図４】本発明の実施形態に係る商品展示具をハンガーディスプレイとして用いた場合の連結支持板が開放された状態の構成を表わす斜視図である。
【図５】（ａ）は本発明の実施形態に係る商品展示具を構成する上側トレー、第２の連結板を除いた連結部及び背壁の展開図、（ｂ）は下側トレー及び第２の連結板の展開図である。
【図６】本発明の実施形態に係る商品展示具を折り畳んだ状態を表わす平面図である。
【発明を実施するための形態】
【００１３】
本発明の実施の形態に係る商品展示具について、以下図面を参照して説明する。
本実施の形態に係る商品展示具１は、図１に示すように、卓上に置くことができるタイプのカウンタディスプレイとしても、図３に示すように吊り下げて使用することができるハンガーディスプレイとしても組み立てることが可能なものである。
【００１４】
商品展示具１は、紙製、ボール紙製の材料により形成されている。商品展示具１は、図１乃至図４に示すように、上側トレー２と、下側トレー３と、上側トレー２及び下側トレー３を連結する連結部４と、背壁５とを備えている。上側トレー２、下側トレー３には、展示、陳列する商品が載置される。
【００１５】
商品展示具１は、図５（ａ）に示す上側トレー２、第２の連結板４６を除いた連結部４及び背壁５を構成する１枚の板紙Ａと、図５（ｂ）に示す下側トレー３と第２の連結板４６を構成する１枚の板紙Ｂとが用いられて組み立てられる。
【００１６】
板紙Ａでは、図５（ａ）において上から、上側トレー２の底板２１、内前板２２ａ、前板２２、外底板２３、貼付部６１が折線を介して連設されている。内前板２２ａは、組立時に折線で折り曲げられ前板２２の内側に重ねて配置される。前板２２と内前板２２ａとの間には折線上に長孔が形成されており、組立時には図１乃至図４に示すように、前板２２の両端部を除いて窪みが形成される。外底板２３は、組立時に底板２１の下側に重ねて配置される。外底板２３には、中央付近に２つの係止孔２３ａが形成され、長手方向に沿って（横方向に）中央に折曲線２３ｂが形成されている。貼付部６１は、組立時に、後述する第１の背壁５１の表面の貼付箇所５１ｄに例えば両面テープ、接着剤、糊などで貼り付けられる。なお、底板２１には、切欠状の指掛け部２１ａが形成されている。指掛け部２１ａに指を掛けることにより底板２１の移動が容易になる。
【００１７】
また、上側トレー２の前板２２の左右両端には折線を介して上側トレー２の一対の側板２５ａ，２５ｂが連設されている。また、上側トレー２の一対の側板２５ａ，２５ｂの上部には、斜めの折線を介して斜め上に一対の折込側板２６ａ、２６ｂがそれぞれ連設されている。上側トレー２の一対の側板２５ａ，２５ｂは、組立時に折込側板２６ａ、２６ｂが斜めの折線で内側に折り込まれると、図１乃至図４に示すように、斜めの折線の部分が背壁５から前板２２に向かって下る傾斜端２５ｅ，２５ｆを構成する。
【００１８】
一対の折込側板２６ａ、２６ｂには、組立時に内側に折り込まれた場合に、構成される後端にそれぞれ係止片２６ｃ，２６ｄが突設されている。また、商品展示具１をハンガーディスプレイとして用いる場合に、図示しない吊下げひもを挿通するための挿通孔２５ｃ，２６ｅがそれぞれ一方の側板２５ａ及び折込側板２６ａに、挿通孔２５ｄ，２６ｆがそれぞれ他方の側板２５ｂ及び折込側板２６ｂに形成されている。
【００１９】
また、上側トレー２の一方の側板２５ａ及び折込側板２６ａ、及び、上側トレー２の他方の側板２５ｂ及び折込側板２６ｂには、それぞれ上下方向に折曲線２７ａ，２７ｂが形成されている。これらの折曲線２７ａ，２７ｂ及び上述した底板２３に形成された折曲線２３ｂで折り曲げて折り畳むことにより、商品展示具１を納品時に持ち運んだり、廃棄する場合などに、商品展示具１を平面状にすることができる。
【００２０】
なお、上側トレー２の一対の側板２５ａ，２５ｂの下方は、連結部４の一対の側壁４１ａ，４１ｂを構成している。すなわち、上側トレー２の側板２５ａ及び連結部４の側壁４１ａと上側トレー２の側板２５ｂ及び連結部４の側壁４１ｂはそれぞれ一体に形成されている。なお、一対の側壁４１ａ，４１ｂは、組立時には、第１の背壁５１の左右両端に配置されて設けられることになる。
連結部４の一対の側壁４１ａ，４１ｂには、一対の折曲部４２ａ，４２ｂを介して、内側に一対の連結支持板４３ａ，４３ｂがそれぞれ連設されている。一対の連結支持板４３ａ，４３ｂは、一対の折曲部４２ａ，４２ｂを有しており、組立時には折曲部４２ａ，４２ｂにおいて内側または外側に折曲が可能となる。なお、一対の連結支持板４３ａ，４３ｂは、組立時には、一対の側壁４１ａ，４１ｂに設けられることになる。
一対の連結支持板４３ａ，４３ｂには、上端及び下端に係止片４３ｃ，４３ｄが突設されている。また、一対の連結支持板４３ａ，４３ｂには、側壁４１ａ，４１ｂに連設されていない側である開放端に２つずつ係止片４３ｅ，４３ｆがそれぞれ突設されている。また、一対の連結支持板４３ａ，４３ｂの開放端には切欠状の指掛け部４３ｇ，４３ｈがそれぞれ形成されている。指掛け部４３ｇ，４３ｈに指を掛けることにより連結支持板４３ａ，４３ｂの折曲が容易になる。
一対の連結支持板４３ａ，４３ｂが有する一対の折曲部４２ａ，４２ｂの下端には、切欠部４２ｃ，４２ｄがそれぞれ形成されている。
【００２１】
上側トレー２の一方の側板２５ｂ及び連結部４の一方の側壁４１ｂの外側には、折線を介して、貼付部６２が連設されている。貼付部６２には、係止孔６２ａが形成されている。貼付部６２は、組立時に、後述する第１の背壁５１の裏面の貼付箇所５１ｃに例えば両面テープ、接着剤、糊などで貼り付けられる。
また、上側トレー２の他方の側板２５ａ及び連結部４の他方の側壁４１ａの外側には、折線を介して、第１の背壁５１が連設されている。第１の背壁５１には両端に係止孔５１ａ，５１ｂが形成されている。第１の背壁５１の係止孔５１ａは、組立時に貼付部６２の係止孔６２ａと重なる位置に配置されている。
第１の背壁５１の上側には折線を介して第２の背壁５２が連設され、第１の背壁５１の下側には折線を介して第１の連結板４５が連設されている。背壁５は、第１の背壁５１及び第２の背壁５２により構成される。第２の背壁５２は、組立時には下方に折り畳まれて、先端部分が例えば両面テープ、接着剤、糊などにより第１の背壁５１の表面に貼りつけられ、第１の背壁５１と重ねて配置される。第２の背壁５２には、係止孔５２ａ，５２ｂが形成されている。係止孔５２ａ，５２ｂは、第２の背壁５１が組立時に第１の背壁５１と重なった際に、第１の背壁５２の係止孔５１ａ，５１ｂと重なる位置になるように配置されている。
第１の連結板４５には、中央付近に２つの係止孔４５ａが形成されている。また、第１の連結板４５の下側には折線を介して貼付部６３が連設されている。貼付部６３は、組立時に、図５（ｂ）に示す下側トレー３の背板３８の裏面の貼付箇所３８ｃに例えば両面テープ、接着剤、糊などで貼り付けられる。
【００２２】
板紙Ｂでは、図５（ｂ）において上から、下側トレー３の底板３１、内前板３２ａ、前板３２、外底板３３ａが折線を介して連設されている。内前板３２ａは、組立時に折線で折り曲げられ前板３２の内側に重ねて配置される。前板３２と内前板３２ａとの間には折線上に長孔が形成されており、組立時には図１乃至図４に示すように、前板３２の両端部を除いて窪みが形成される。
【００２３】
また、下側トレー３の前板３２の左右両端には折線を介して下側トレー３の一対の側板３５ａ，３５ｂが連設されている。また、下側トレー３の一対の側板３５ａ，３５ｂの上部には、斜めの折線を介して斜め上に一対の折込側板３６ａ、３６ｂがそれぞれ連設されている。下側トレー３の一対の側板３５ａ，３５ｂは、組立時に折込側板３６ａ、３６ｂが斜めの折線で内側に折り込まれると、図１乃至図４に示すように、斜めの折線の部分が後述する下側トレー３の背板３８側から前板３２側に向かって下る傾斜端３５ｅ，３５ｆを構成する。また、下側トレー３の一対の側板３５ａ，３５ｂには、傾斜端３５ｅ，３５ｆの上方に連続して立設部３５ｇ，３５ｈが設けられている。立設部３５ｇ，３５ｈは、組立時において鉛直方向に立設される。
【００２４】
一対の折込側板３６ａ、３６ｂには、組立時に内側に折り込まれた場合に、構成される後端にそれぞれ係止片３６ｃ，３６ｄが突設されている。
【００２５】
下側トレー３の一方の側板３５ａの外側には、折線を介して、貼付部６４が連設されている。貼付部６４には、係止孔６４ａが形成されている。貼付部６４は、組立時に、後述する下側トレー３の背板３８の裏面の貼付箇所３８ｄに例えば両面テープ、接着剤、糊などで貼り付けられる。
また、下側トレー３の他方の側板３５ｂの外側には、折線を介して、下側トレー３の背板３８が連設されている。背板３８には左右両端に係止孔３８ａ，３８ｂが形成されている。背板３８の係止孔３８ａは、組立時に貼付部６４の係止孔６４ａと重なる位置に配置されている。
下側トレー３の背板３８の上側には折線を介して第２の連結板４６、貼付部６５が連設され、背板３８の下側には折線を介して外底板３３ｂが連設されている。
第２の連結板４６には、中央付近に２つの係止孔４６ａが形成されている。また、第２の連結板４６の左右両端には２つずつ係止孔４６ｂが形成されている。
連結部４は、一対の側壁４１ａ，４１ｂ、一対の連結支持板４３ａ，４３ｂ、第１の連結板４５及び第２の連結部４６により構成される。
貼付部６５は、組立時に、図５（ａ）に示す第１の背壁５１の表面の貼付箇所５１ｅに例えば両面テープ、接着剤、糊などで貼り付けられる。
【００２６】
下側トレー３の一対の側板３５ａ，３５ｂの下側には、外底板３３ｃ，３３ｄがそれぞれ連設されている。外底板３３ａ，３３ｂ，３３ｃ，３３ｄが組み合わされて、組立時には底板３１の下側に重ねて配置される。
【００２７】
また、下側トレー３の一方の側板３５ａ、折込側板３６ａ、外底板３３ｃ、及び、下側トレー３の他方の側板３５ｂ、外底板３３ｄには、それぞれ上下方向に折曲線３７ａ，３７ｂが形成されている。これらの折曲線３７ａ，３７ｂで折り曲げて折り畳むことにより、商品展示具１を納品時に持ち運んだり、廃棄する場合などに、商品展示具１を平面状にすることができる。
【００２８】
次に、板紙Ａ及び板紙Ｂを用いて、商品展示具１を組み立てる方法について説明する。板紙Ａにおいては、貼付部６２を第１の背壁５１の裏面の貼付箇所５１ｃに例えば両面テープ、接着剤、糊などで貼り付けることにより、上側トレー２を構成する部材を背壁５１の前側に配置する。また、第２の背壁５２を下方に折り畳んで、先端部分を例えば両面テープ、接着剤、糊などにより第１の背壁５１の表面に貼りつけて、第１の背壁５１と重ねる。これにより、係止孔５１ａ，係止孔５２ａ及び係止孔６２ａが重なる位置に、係止孔５１ｂ及び係止孔５２ｂが重なる位置に配置される。また、貼付部６１を第１の背壁５１の表面の貼付箇所５１ｄに例えば両面テープ、接着剤、糊などで貼り付ける。
【００２９】
次に上側トレー２を組み立てる。底板２１及び内前板２２ａを内側に折り込み、内前板２２ａが前板２２の内側に重ねて配置され、底板２１が外底板２３の上側に重ねて配置されるようにする。
次に、折込側板２６ａ、２６ｂを内側に折り畳んで、側板２５ａ，２５ｂとそれぞれ重なるように配置するとともに、係止片２６ｃを係止孔５１ｂ及び係止孔５２ｂに、係止片２６ｄを係止孔５１ａ，係止孔５２ａ及び係止孔６２ａに係止させる。この係止により、上側トレー２は背壁５に強固に保持され、上側トレー２の組立が完成する。なお、上側トレー２は移動することなく、背壁５に固定される。
【００３０】
一方、板紙Ｂにおいては、貼付部６４を下側トレー３の背板３８の裏面の貼付箇所３８ｄに例えば両面テープ、接着剤、糊などで貼り付けることにより、下側トレー３を構成する部材を背板３８の前側に配置する。これにより、係止孔３８ａ及び係止孔６４ａが重なる位置に配置される。
【００３１】
次に下側トレー２を組み立てる。外底板３３ａ，３３ｂ，３３ｃ，３３ｄを組み合わせるとともに、底板３１及び内前板３２ａを内側に折り込むことにより、内前板３２ａが前板３２の内側に重ねて配置され、底板３１が組み合わされた外底板３３ａ，３３ｂ，３３ｃ，３３ｄの上側に重ねて配置されるようにする。
次に、折込側板３６ａ、３６ｂを内側に折り畳んで、側板３５ａ，３５ｂとそれぞれ重なるように配置するとともに、係止片３６ｃを背板３８の係止孔３８ａ及び係止孔６４ａに、係止片３６ｄを背板３８の係止孔３８ｂに係止させる。この係止により下側トレー３の組立が完成する。
【００３２】
次に、第１の連結板４５に連設する貼付部６３を下側トレー３の背板３８の裏面の下端の貼付箇所３８ｃに例えば両面テープ、接着剤、糊などで貼り付け、第２の連結板４６に連設する貼付部６５を第１の背壁５１の表面の貼付箇所５１ｅに例えば両面テープ、接着剤、糊などで貼り付ける。これにより板紙Ａを構成する部材と板紙Ｂを構成する部材とが連結される。
第１の連結板４５は、その一端が第１の背壁５１の下端と連結され、対向する他端が下側トレー３の背板３８の下端と連結されることになる。
第２の連結板４６は、その一端が第１の背壁５１上における上側トレー２の外底板２３の接続部分と接するように連結され、対向する他端が下側トレー３の背板３８の上端と連結されることになる。
この状態では、上側トレー２は背壁５に固定されたまま移動させることはできないが、下側トレー３を移動させることにより、カウンタディスプレイまたはハンガーディスプレイの配置を選択することができる。
なお、下側トレー３の移動にともなって、第１の連結板４５及び第２の連結板４６は連動する。
【００３３】
この板紙Ａを構成する部材と板紙Ｂを構成する部材とが連結された状態から、図１に示すように、卓上に置くことができるタイプのカウンタディスプレイとして商品展示具１を組み立てることも、図３に示すように吊り下げて使用することができるハンガーディスプレイとして商品展示具１を組み立てることも可能である。
【００３４】
カウンタディスプレイとして商品展示具１を組み立てて、上側トレー２及び下側トレー３を階段状に配置する場合には、図１及び図２に示すように、第２の連結板４６を上側トレー２の外底板２３に当接させて重ねるように配置する。第１の連結板４５は底面を構成するとともに、第２の連結板４６とほぼ平行な位置関係になる。これにより、第２の連結板４６の係止孔４６ａと上側トレー２の外底板２３の係止孔２３ａの位置は重なる。
【００３５】
そして、一対の連結支持板４３ａ，４３ｂを、図１に示すように、連結部４の一対の側壁４１ａ，４１ｂとほぼ直交する程度に内側にそれぞれ折り込み、連結支持板４３ａ，４３ｂの上端に形成された係止片４３ｃ，４３ｄを、第２の連結板４６の係止孔４６ａ及び上側トレー２の外底板２３の係止孔２３ａに係止させ、連結支持板４３ａ，４３ｂの下端に形成された係止片４３ｃ，４３ｄを、第１の連結板４５の係止孔４５ａに係止させる。連結支持板４３ａ，４３ｂは倒れ止め等の役割も果たすことになる。
これにより、安定した状態で、カウンタディスプレイとして商品展示具１を組み立てることができる。なお、このカウンタディスプレイとしての商品展示具１では、上側トレー２が後側、下側トレー３が前側に、階段状に配置される。
【００３６】
ハンガーディスプレイとして商品展示具１を組み立てて、上側トレー２及び下側トレー３を上下方向に並べて配置する場合には、図３及び図４に示すように、第１の連結板４５が下側トレー３の背板３８の裏面と当接して重なるように、第２の連結板４６が第１の背壁５１の表面と当接して重なるように配置する。
【００３７】
そして、一対の連結支持板４３ａ，４３ｂを、図３に示すように、内側に折り畳むことにより、下側トレー３の側板３５ａ，３５ｂの背板３８側に立設された立設部３５ｇ，３５ｈを一対の側壁４１ａ，４１ｂとの間で挟んだ状態にして、連結支持板４３ａ，４３ｂの開放端に形成された係止片４３ｅ，４３ｆを第２の連結板４６に形成された係止孔４６ｂに係止させる。これとともに、一対の折曲部４２ａ，４２ｂの下端に形成された切欠部４２ｃ，４２ｄを、下側トレー３の一対の側板３５ａ，３５ｂの立設部３５ｇ，３５ｈと連続する傾斜端３５ｅ，３５ｆと当接させる。
これにより、安定した状態で、ハンガーディスプレイとしても商品展示具１を組み立てることができる。なお、必要に応じて、吊下げひもを挿通孔２５ｃ，２５ｄ，２６ｅ，２６ｆに挿通して用いることができる。
【００３８】
このように本実施の形態の商品展示具では、卓上に置いて用いるカウンタディスプレイとしても、吊り下げて使用するハンガーディスプレイとしても、連結支持板４３ａ，４３ｂを用いて支持するようにしたので、安定した状態で組み立てることができる。すなわち、本実施の形態の商品展示具では、例えば比較的重い商品を上側トレー２や下側トレー３に載せて使用したとしても、倒れてしまったり、崩れて壊れてしまったりすることを防止することができる。
【００３９】
また、本実施の形態の商品展示具では、連結支持板４３ａ，４３ｂ、第１の連結板４５
及び第２の連結板４６を調整するのみで、カウンタディスプレイとしても、ハンガーディスプレイとしても容易に組み立てることができる。もちろん、カウンタディスプレイとハンガーディスプレイとの相互間の変更も容易に行うことができる。
【００４０】
また、本実施の形態の商品展示具では、２枚の板紙Ａ及び板紙Ｂのみを用いて組み立てることができるので、コストダウンを図ることができる。
【００４１】
また、本実施の形態の商品展示具では、折曲線２７ａ，２７ｂ，３７ａ，３７ｂ，２３ｂを形成するようにしたので、折曲線２７ａ，２７ｂ，３７ａ，３７ｂ，２３ｂで折り曲げて折り畳めば、組み立てた後であっても、組み立て前の納品時などであっても、図６に示すように、平面状にすることが可能である。よって、商品展示具１の持ち運びや廃棄などが容易になる。なお、下側トレー３の折曲線３７ａ，３７ｂを形成しなくても、側板３５ａ，３５ｂと背板３８との間の折線で折り曲げれば、商品展示具１を平面状にすることは可能である。
【００４２】
以上、実施の形態を挙げて本発明を説明したが、本発明は上記実施の形態に限定されるものではなく、種々変形が可能である。例えば、上記実施の形態では、連結支持板４３ａ，４３ｂの上端及び下端に係止片４３ｃ，４３ｄが１つずつ突設される例について説明したが、連結支持板４３ａ，４３ｂの下端のみに係止片を突設するようにしてもよいし、連結支持板４３ａ，４３ｂの上端及び下端に係止片４３ｃ，４３ｄが２つ以上それぞれ突設されるようにしてもよい。
【００４３】
また、上記実施の形態では、第２の連結板４６に係止孔４６ａ、上側トレー２の外底板２３に係止孔２３ａを形成する例について説明したが、上側トレー２の外底板２３の係止孔２３ａは必ずしも形成しなくてもよい。
【００４４】
また、上記実施の形態では、カウンタディスプレイとして用いる場合には、連結支持板４３ａ，４３ｂを連結部４の側壁４１ａ，４１ｂとほぼ直交する程度に内側にそれぞれ折り込み、係止させる例について説明したが、連結支持板４３ａ，４３ｂの内側への折り込みは安定した支持ができる程度でよい。
【００４５】
また、上記実施の形態では、連結支持板４３ａ，４３ｂの開放端に２つずつ係止片４３ｅ，４３ｆがそれぞれ突設されている例について説明したが、係止片は１つずつ突設するようにしてもよいし、３つ以上突設するようにしてもよい。
【００４６】
また、上記実施の形態では、一対の折曲部４２ａ，４２ｂの下端に切欠部４２ｃ，４２ｄを形成する例について説明したが、必ずしも切欠部４２ｃ，４２ｄを形成しなくても安定した状態での組み立て効果を得ることは可能である。
【００４７】
また、上記実施の形態では、上側トレー２の側板２５ａ，２５ｂが傾斜端２５ｅ，２５ｆを有する例について説明したが、側板２５ａ，２５ｂは必ずしも傾斜端２５ｅ，２５ｆを有する必要はなく、例えば矩形状の側板であってもよい。また、下側トレー３の側板３５ａ，３５ｂも、傾斜端３５ｅ，３５ｆを必ずしも有する必要はない。例えば、下側トレー３の側板３５ａ，３５ｂは、立設部３５ｇ，３５ｈと連続する傾斜しない水平端を有するようにしてもよい。
【００４８】
また、上記実施の形態では、第２の連結板４６の係止孔４６ｂは、図５（ｂ）に示すように、第２の連結板４６の縁に沿って一部開口されて形成された例について説明したが、開口させずに第２の連結板４６の縁付近に形成するようにしてもよく、第２の連結板４６の左右両端とは、縁以外の左右両端付近も含まれる。
【符号の説明】
【００４９】
１        商品展示具
２        上側トレー
２１      底板
２２      前板
２３      外底板
２３ａ    係止孔
２３ｂ，２７ａ，２７ｂ  折曲線
２５ａ，２５ｂ  側板
２６ａ，２６ｂ  折込側板
２６ｃ，２６ｄ  係止片
３        下側トレー
３１      底板
３２      前板
３５ａ，３５ｂ  側板
３５ｅ，３５ｆ  傾斜端
３５ｇ，３５ｈ  立設部
３６ａ，３６ｂ  折込側板
３６ｃ，３６ｄ  係止片
３７ａ，３７ｂ  折曲線
３８      背板
４        連結部
４１ａ，４１ｂ  側壁
４２ａ，４２ｂ  折曲部
４２ｃ，４２ｄ  切欠部
４３ａ，４３ｂ  連結支持板
４３ｃ，４３ｄ  係止片
４３ｅ，４３ｆ  係止片
４５      第１の連結板
４５ａ    係止孔
４６      第２の連結板
４６ａ    係止孔
４６ｂ    係止孔
６１，６２，６３，６４，６５  貼付部
５        背壁
５１      第１の背壁
５２      第２の背壁
【要約】
【課題】カウンタディスプレイとしてもハンガーディスプレイとしても安定した状態に組み立てることができる商品展示具を提供することができる。
【解決手段】カウンタディスプレイとして用いる場合には、連結支持板４３ａ，４３ｂを内側にそれぞれ折り込み、連結支持板４３ａ，４３ｂの上端に形成された係止片４３ｃ，４３ｄを、第２の連結板４６の係止孔４６ａ及び上側トレー２の外底板２３の係止孔２３ａに係止させ、連結支持板４３ａ，４３ｂの下端に形成された係止片４３ｃ，４３ｄを、第１の連結板４５の係止孔４５ａに係止させる。ハンガーディスプレイとして用いる場合には、連結支持板４３ａ，４３ｂを内側に折り畳んで、立設部３５ｇ，３５ｈを一対の側壁との間で挟んだ状態にして、連結支持板４３ａ，４３ｂの開放端に形成された係止片を第２の連結板４６に形成された係止孔に係止させる。
【選択図】図１【図１】
0004762375.tif 000002
【図２】
0004762375.tif 000003
【図３】
0004762375.tif 000004
【図４】
0004762375.tif 000005
【図５】
0004762375.tif 000006
【図６】
0004762375.tif 000007